(57)【要約】【課題】  本発明により、額面価値に満たない紙葉類の入金取引処理や交換取引処理が可能な紙葉類取引装置及び紙葉類取引処理方法を提供する。【解決手段】  本発明の紙葉類取引装置は、紙葉類の入出金を行う入出金口部と、入金された紙葉類の金種、真偽及び記番号に関する情報を識別する識別部と、識別部により識別された記番号に関する情報に基いて、入金された紙葉類の交換金額を算出する交換金額算出部と、交換金額算出部により算出した金額を表示し、利用者に入金取引又は交換取引の可否を選択させる表示部と、選択結果に応じて、入金取引又は交換取引を実行する上位制御部と、を有することを特徴とする。【選択図】図１
2015018463.tif 000002
【特許請求の範囲】
【請求項１】
紙葉類の入出金を行う入出金口部と、
入金された紙葉類の金種、真偽及び記番号に関する情報を識別する識別部と、
前記識別部により識別された記番号に関する情報に基いて、前記入金された紙葉類の交換金額を算出する交換金額算出部と、
前記交換金額算出部により算出した金額を表示し、利用者に入金取引又は交換取引の可否を選択させる表示部と、
前記選択結果に応じて、入金取引又は交換取引を実行する上位制御部と、を有する紙葉類取引装置。
【請求項２】
前記記番号に関する情報は、前記識別部による記番号の可読文字数であることを特徴とする請求項１に記載の紙葉類取引装置。
【請求項３】
前記表示部は、
前記交換金額算出部により算出された、入金された紙葉類の算出金額が額面金額未満である場合、
前記算出金額に関する情報と、前記認識結果に関する情報、前記記番号画像に関する情報、前記可読文字数に関する情報の少なくとも一つを併せて表示することを特徴とする請求項１に記載の紙葉類取引装置。
【請求項４】
前記上位制御部は、
前記交換金額算出部により算出された、入金された紙葉類の算出金額が０より大きい場合、相当金額に応じた入金取引処理を実行させることを特徴とする請求項１に記載の紙葉類取引装置。
【請求項５】
前記紙葉類取引装置は、
入金された紙葉類のうち流通に適した紙葉類を収納する収納庫と、
入金された紙葉類のうち流通に適さない紙葉類を収納するリジェクト庫と、を有し、
前記上位制御部は、
前記算出金額が額面金額である場合、前記紙葉類を前記収納庫に収納させ、
前記算出金額が０より大きく額面金額未満である場合、前記紙葉類を前記リジェクト庫に収納させ、
前記算出金額が０である場合、前記紙葉類を前記入出金口部に返却させることを特徴とする請求項４に記載の紙葉類取引装置。
【請求項６】
前記紙葉類取扱装置は、
可読文字数に応じた交換金額を算出するための交換基準値を記憶する記憶部と、
前記交換基準値を設定又は変更する交換基準設定部と、を有し、
前記交換基準設定部は、前記表示部に表示された、金種を選択する金種選択画面、前記選択された金種の記番号について桁数条件を入力する条件入力画面及び前記桁数条件に対応する相当金額を入力する交換金額入力画面により、交換基準値を設定することを特徴とする請求項１に記載の紙葉類取引装置。
【請求項７】
紙葉類を取引する紙葉類取引処理方法であって、
紙葉類の価値を算出して交換金額を入金された紙葉類の金種、真偽及び記番号に関する情報を識別するステップと、
識別された記番号に関する情報に基いて、前記入金された紙葉類の交換金額を算出するステップと、
前記算出した交換金額を表示し、利用者に入金取引又は交換取引の可否を選択させるステップと、
前記選択結果に応じて、入金取引又は交換取引を実行するステップと、を有する紙葉類取引処理方法。
【発明の詳細な説明】
【技術分野】
【０００１】
本発明は、金融機関等に設置される紙葉類取引装置及び紙葉類取引処理方法に関する。
【背景技術】
【０００２】
紙葉類が破れたり損傷したりして一部しか残っていない場合などでも、一定の条件を満たせば日本銀行や一般の金融機関等の窓口で正券に引き換えることができる。日本銀行における損傷紙葉類の引き換えの基準としては、表と裏の両面があることを条件としており、残存する紙葉類の面積に応じて適応される金額相当の正券と交換してもらうことが可能である。たとえば、破損した紙葉類の面積が３分の２以上残っている場合、全額を引き換えすることができ、５分の２以上かつ３分の２未満の場合、半額を引き換えすることができる。５分の２未満の場合、紙葉類としての価値は無いと判断され交換不可能となる。これに対して、特許文献１では、一部が消失した紙葉類の交換のためにわざわざ金融機関の窓口まで出向くことなく、一部が消失した紙葉類の残存率に応じた正券への交換を可能にした現金自動取引装置について開示されている。
【先行技術文献】
【特許文献】
【０００３】
【特許文献１】特開２０１２−１０４０１９号公報
【発明の概要】
【発明が解決しようとする課題】
【０００４】
しかし、利用者は一般の金融機関の窓口で該紙葉類を相当金額の正券に引き換えなければならず利便性が低下する。そこで、本願発明では、額面価値に満たない紙葉類の入金取引処理や交換取引処理が可能な紙葉類取引装置を提供することを目的とする。
【課題を解決するための手段】
【０００５】
本発明に係る紙葉類取引装置は、紙葉類の入出金を行う入出金口部と、入金された紙葉類の金種、真偽及び記番号に関する情報を識別する識別部と、識別部により識別された記番号に関する情報に基いて、入金された紙葉類の交換金額を算出する交換金額算出部と、交換金額算出部により算出した金額を表示し、利用者に入金取引又は交換取引の可否を選択させる表示部と、選択結果に応じて、入金取引又は交換取引を実行する制御部と、を有することを特徴とする。また、本発明に係る損傷紙葉類交換方法は、入金された紙葉類の金種、真偽及び記番号に関する情報を識別するステップと、識別された記番号に関する情報に基いて、入金された紙葉類の交換金額を算出するステップと、算出した金額を表示し、利用者に入金取引又は交換取引の可否を選択させるステップと、選択結果に応じて、入金取引又は交換取引を実行させるステップと、を有することを特徴とする。
【発明の効果】
【０００６】
本発明は、額面価値に満たない紙葉類の入金取引処理や交換取引処理が可能な紙葉類取引装置及び紙葉類取引処理方法を提供する。
【図面の簡単な説明】
【０００７】
【図１】本願の実施例に係る、紙葉類取引装置の構成図
【図２】本願の実施例に係る、取引内容に関する選択画面例
【図３】本願の実施例に係る、入金額が入金紙葉類の額面通りである場合の表示画面例
【図４】本願の実施例に係る、入金額が入金紙葉類の額面通りでない場合の表示画面例
【図５】本願の実施例に係る、記番号の識別結果を示す表示画面例
【図６】本願の実施例に係る、入金処理のフロー図
【図７】本願の実施例に係る、識別処理フロー図
【図８】本願の実施例に係る、交換基準設定する場合の保守内容選択画面例
【図９】本願の実施例に係る、交換基準設定する場合の金種選択画面例
【図１０】本願の実施例に係る、交換基準設定する場合の金種決定画面例
【図１１】本願の実施例に係る、交換基準設定する場合の設定画面例
【図１２】本願の実施例に係る、交換基準設定する場合の入力画面例
【図１３】本願の実施例に係る、交換基準設定する場合の別の入力画面例
【発明を実施するための形態】
【０００８】
以下、本発明の実施例を、図面を参照して詳細に説明する。なお、以下では、紙葉類の一例として紙幣を用いて説明する。まず、図１を用いて本願の実施例に係る紙葉類取引装置の構成について説明する。紙葉類取引装置１００は、取引の種類、取引内容、取引結果などを表示する表示部１０１、利用者からの入力を受け付ける操作部１０２、利用者からの紙葉類の受け入れ、利用者への紙葉類の放出を行う入出金口部１０３を有し、さらに紙葉類の画像情報や磁気データ、記番号の画像情報を取得する識別センサ１０６、記番号の文字認識を実行する記番号認識部１０７、記番号画像情報と文字認識結果等を記憶する識別記憶部１０８、紙葉類の金種と真偽を判定する紙葉類判定部１０９、これら１０６〜１０９を制御する識別制御部１０５を具備する識別部１０４を有する。
【０００９】
また、紙葉類の搬送を行う搬送路１１０（１１０ａ、１１０ｂ、１１０ｃ）、紙葉類を一時的に収納する一時保管庫１１２、入金された紙葉類および出金する紙葉類を収納、保管する収納庫１１３〜１１６、リジェクト紙葉類を収納するリジェクト庫１１７を有し、可読文字数に応じた相当金額を算出する交換金額算出部１１９、相当金額を算出するために使用される交換基準値を記憶する上位記憶部１２０、交換基準値を設定又は変更するための交換基準設定部１２１、端末装置１２４と通信回線１２３を介して通信を行う通信部１２２、これら１１９〜１２２を制御する上位制御部１１８を有する。さらに、通常運用モードと保守用モードの切り替え用のスイッチとなる切り替えキー１２５を備える。なお、本実施例では、搬送路１１０ａと１１０ｂは入出金口部１０３で区分する。
【００１０】
操作部１０２は、例えば、液晶（ＬＣＤ）やＣＲＴなどの表示部１０１と一体となったタッチパネルで構成しても良い。また、切り替えキー１２５が保守モードに切り替えられることにより、操作部１０２は、保守員、係員あるいは銀行員への保守用のメッセージ、操作ガイダンスなどの情報を表示することも可能である。後述するが、交換基準の設定又は変更も操作部１０２によって操作される。なお、この操作部１０２を複数のユニットで構成し、エンドユーザ用と、保守員などとに分けて使用するにようにしても良い。この場合、切り替えキー１２５を装置に実装する必要がなくなる。また、切り替えキー１２５は、遠隔操作できるものとしても良い。
【００１１】
識別制御部１０５は、入金又は出金、交換取引処理において、搬送路１１０にて搬送される紙葉類に対して、識別部１０４で図示しない光源から光を照射し、単一または複数の識別センサ１０６により、紙葉類の印刷パターンの画像情報や紙葉類に印刷された記番号の画像情報等を読み取るように制御する。そして、識別制御部１０５は、紙葉類のある領域内の画像情報に基づき、紙葉類判定部１０９に記憶される所定の演算により複数の算出値（例えば、平均濃度値、積分濃度値、平均透磁率、積分透磁率）を算出し、金種判定や真偽判定する。また、記番号の画像情報に基づき、記番号認識部１０７に記憶される所定の演算に基き記番号を認識し、各桁の可読可否を判定する。各桁の可読可否を含めた文字認識結果と記番号の画像情報は識別記憶部１０８に記憶される。識別部１０４の識別センサ１０６としては、例えば、光（可視光、紫外線など）の反射光又は／及び透過光を検出する光センサや、紙葉類の磁気情報を取得する磁気センサ等を用いることが好ましい。
【００１２】
次に、上位制御部１１８はコンピュータを用いて、即ち、図示しないＣＰＵやプログラム等と共同して、交換金額算出部１１９、上位記憶部１２０、交換基準設定部１２１、通信部１２２を制御する。また、紙葉類の入出金なども含めた紙葉類取引装置全体の制御を行い、記番号認識部１０７により認識された記番号の各桁の可読可否情報と記番号の画像情報を取得する手段を備えている。交換金額算出部１１９は可読文字数に応じて適用される相当金額を、可読可否情報に基づき、上位記憶部１２０に記憶する交換基準値を使用して算出する。また、上位制御部１１８は交換基準設定部１２１を制御して、交換基準値の設定又は変更を行う。
【００１３】
上位記憶部１２０は、紙葉類取引装置１００で取引処理される紙葉類の画像情報や、該紙葉類の記番号の画像情報および紙葉類の記番号認識結果等の紙葉類情報を記憶する。識別制御部１０５は、紙葉類情報を読み取る紙葉類情報読取部（図示省略）を制御し、識別時の識別状況に基づいて上位記憶部１２０へ紙葉類情報を送信する。上位制御部１１８は送信された紙葉類情報を管理する紙葉類情報管理プログラムを備えている。ここで、記番号に異常が発生し記番号読取不可となり、可読文字数に応じた相当金額が額面金額よりも少ない紙葉類を取引処理する場合、明確に異常を捉える必要がある。そのため、上位制御部１１８は、記番号の画像情報と、記番号認識結果等を上位記憶部１２０に記憶して紙葉類情報管理する。たとえば、記番号部分が欠損である場合や、耳折れにより記番号部分が隠れている場合、上位制御部１１８は顧客クレーム対応のために記番号の画像情報と、記番号認識結果等を上位記憶部１２０に記憶しておくことが有効である。
【００１４】
搬送路１１０（１１０ａ、１１０ｂ、１１０ｃ）は、搬送ローラ１１１（１１１ａ、１１１ｂ、１１１ｃ）と、図示しない搬送ベルトからなる。また、搬送路１１０へ搬送される紙葉類は、図示しないセンサにより、その搬送状態が検知可能となっている。収納庫１１３〜１１６、一時保管庫１１２は、搬送路から紙葉類を受け入れ、搬送路に紙葉類を放出する。すなわち、一時保管庫１１２、収納庫１１３〜１１６は流通に適した紙葉類を収納するリサイクル庫となっている。一方、リジェクト庫１１７は、流通に適さない紙葉類を収納する、一旦収納した紙葉類を搬出することはできない非リサイクル庫である。
【００１５】
次に、本願の実施例に係る紙葉類取引装置の操作部１０２に表示される画面の例について、図２〜５を用いて説明する。操作部１０２は、例えばタッチパネル式ＬＣＤであり、利用者に対して取引内容を表示すると共に、利用者の入力を受け付けるボタンを表示し、該ボタンが押下されたか否かの情報を取得する。図２は利用者が紙葉類取引装置１００の前に立つなどして取引が開始する際、取引内容の選択を受け付ける画面の例である。上位制御部１１８は、操作部１０２に取引内容画面を表示し、取引内容の選択を受け付ける。なお、取引内容画面には、たとえば「出金」ボタン、入金取引のための「入金」ボタン、振込取引のための「振込」ボタン、「通帳記帳」ボタン、記番号損傷紙葉類等の額面価値に満たない紙葉類と正券（硬貨を含んでも良い）の交換のための「交換」ボタン、口座の残高照会のための「残高照会」ボタン等の取引を選択する取引ボタンが配列した状態で表示される。
【００１６】
図３は、利用者が入金を希望する紙葉類を入出金口部１０３に投入し、紙葉類取引装置１００が投入された紙葉類の金額を確認した際に表示される画面の例であり、利用者が投入した紙葉類の金額が表示された金額と相違ないかを確認するように促す表示例である。一方で、図４は、紙葉類取引装置１００が投入された紙葉類の金額を確認した際に表示される画面の例である点は図３と同じだが、利用者が投入した紙葉類の中に、額面金額よりも少ない価値（金額）の紙葉類がある場合に表示される画面例である。即ち、記番号損傷等により記番号の一部又は全部を読み取ることができず、可読文字数に応じて適用される相当金額が額面金額よりも少なくなる紙葉類が投入紙葉類の中に１枚でも存在する場合、図４に示すように、操作部１０２は「お客様の投入額は＊＊＊円ですが、記番号を読み取ることができないために、額面価値よりも少なくなる紙葉類がございます。そのため、入金額は＊＊＊円となります。宜しければ「入金」ボタンを、そうでなければ「取消」ボタンを押して下さい。また、記番号の読み取り結果をご確認したい場合は「結果」ボタンを押して下さい。」と表示する。利用者は、表示された入金額に納得し入金する場合は「入金」ボタンを、入金を拒否し投入紙葉類を返却させる場合は「取消」ボタンを、記番号の読み取り結果を表示させ、紙葉類価値が額面金額よりも少なくなる理由説明を受ける場合は「結果」ボタンを押下するように促される。なお、「交換」ボタンを別途設けることも可能であり、「交換」ボタンが押下された場合は額面価値よりも少なくなる紙葉類の相当金額を算出して、入出金口部１０３へ放出する構成としても構わない。
【００１７】
図５は、図４の「結果」ボタンが押下された際に表示される画面の例である。上位制御部１１８は、「結果」ボタンが押下された場合、図５に示すような読取結果を操作部１０２に表示する。例えば、読取結果画面に、投入順番、紙葉類全体の紙葉類画像情報、記番号画像情報、文字認識結果、額面（金種）、価値（可読文字数に応じて適用される相当金額）、可読文字数等の情報が表示される。この際に、画面上側から投入順に表示しても良いし、額面金額の大きい順に表示しても良く、順番は適宜変更可能である。ここで、紙葉類画像情報を表示する場合、この大きなデータサイズの画像を記憶、通信する必要があるため、メモリや通信に対して運用上大きな負担になる。そのため、紙葉類画像情報は低解像度の画像情報やサムネイルとしてもよい。また、紙葉類取引装置１００が額面金額と同額と認識した紙葉類は、メモリや通信に対して運用上の負担を避けるため、読取結果画面に表示しない。これにより、取引時の顧客クレーム対応のために、必要最小限の小さなデータ量で対処することが可能である。また、文字認識結果の列には、記番号認識部１０７が認識した文字をテキスト表示するが、不可読文字は「＊」で埋められ表示される。可読文字数の列には、記番号の全桁数を分母、可読文字数を分子として表示してもよい。なお、ここでいう記番号画像情報とは記番号を含む周辺の一部領域の画像情報をいう。
【００１８】
このように、紙葉類の入出金を行う入出金口部と、入金された紙葉類の金種、真偽及び記番号に関する情報を識別する識別部と、識別部により識別された記番号に関する情報に基いて、入金された紙葉類の交換金額を算出する交換金額算出部と、交換金額算出部により算出した金額を表示し、利用者に入金取引又は交換取引の可否を選択させる表示部と、選択結果に応じて、入金取引又は交換取引を実行する上位制御部と、を有する紙葉類取引装置、あるいは、紙葉類の価値を算出して交換金額を入金された紙葉類の金種、真偽及び記番号に関する情報を識別するステップと、識別された記番号に関する情報に基いて、入金された紙葉類の交換金額を算出するステップと、算出した交換金額を表示し、利用者に入金取引又は交換取引の可否を選択させるステップと、選択結果に応じて、入金取引又は交換取引を実行するステップと、を有する紙葉類取引処理方法、を採用することにより、記番号に関する情報に応じて入金紙葉類の交換金額が算出され、それに相当する金額の入金取引又は交換取引が可能となり、利用者の利便性が向上する。また、表示部が、交換金額算出部により算出された、入金された紙葉類の算出金額が額面金額未満である場合、算出金額に関する情報と、認識結果に関する情報、記番号画像に関する情報、可読文字数に関する情報の少なくとも一つを併せて表示することにより、これらの情報が利用者が入金または交換の可否を判断するための材料となり、利便性がさらに向上する。
【００１９】
次に、紙葉類取引装置１００で行われる入金時の動作を図６、７を用いて説明する。図６、７は紙葉類取引装置１００の入金取引処理、識別処理のフロー図である。まず、利用者に入金か交換か出金かなどを選択するよう促す取引内容選択画面２００（図２参照）を表示する（Ｓ６０１）。利用者はこの画面によって、紙葉類を入金するか、交換するか、出金するかなどを画面上のボタンによって選択する。ここでは「入金」ボタンが選択された場合（Ｓ６０２）の例を示す。入出金口部１０３は、利用者に紙葉類を投入させて、投入された紙葉類を受け取る（Ｓ６０３）。上位制御部１１８と搬送路１１０は入出金口１０３に投入されている紙葉類を一枚ずつ繰り出して識別部１０４に搬送する（Ｓ６０４）。ここで、Ｓ６０５の識別処理が行われるが詳細は図７を用いて後述する。
【００２０】
識別処理終了後、入出金口部１０３にある全ての紙葉類について識別処理が終了した否かを判定する（Ｓ６０６）。終了していなければ入出金口１０３にある紙葉類を再び繰り出して（Ｓ６０４）、識別処理を繰り返す（Ｓ６０５）。そして、全ての紙葉類について識別処理が終了したと判定した場合、操作部１０２に、入出金口１０３に投入された金額を表示する（Ｓ６０８）（Ｓ６０９）。ここで、操作部１０２に表示する表示画面は識別処理の結果に応じて異なる。具体的には、利用者が投入した紙葉類の中に、額面金額よりも少ない金額の紙葉類があるか否かに応じて異なる。記番号損傷等により記番号文字の一部又は全部を読み取ることができず、可読文字数に応じて適用される相当金額が額面金額よりも少なくなる紙葉類が投入された紙葉類の中に１枚でも存在すると判定した場合（Ｓ６０７）、図４で示した選択画面を操作部１０２に表示する（Ｓ６０８）。一方、１枚も存在しないと判定した場合、図３で示した選択画面を操作部１０２に表示する（Ｓ６０９）。
【００２１】
次に、操作部１０２に前述の表示画面（図３、４）を示した後、利用者に確認を促す。利用者は返却された紙葉類と入金金額とを確認し、入金金額が正しくないと判断すれば取消ボタンを押下し（Ｓ６１１）、正しいと判断すれば入金ボタンを押下する（Ｓ６１０）。また、紙葉類価値が額面金額よりも少なくなる理由を確認する場合は「結果」ボタンを押下し（Ｓ６１２）、記番号の認識結果５００を表示する（Ｓ６１３）。
具体的には、選択画面の表示後、上位制御部１１８は、入金ボタンが押下されたか否かを判定する（Ｓ６１０）。入金ボタンが押下されたと判定した場合、入金処理を実行し、一時保管庫１１２に保管した紙葉類を収納庫１１３〜１１６またはリジェクト庫１１７へ搬送し収納する。即ち、利用者が投入した紙葉類の紙葉類価値が額面金額よりも少ないと判定された場合（Ｓ６１５）、その紙葉類は流通に適さない紙葉類と判断されリジェクト庫１１７へ搬送し収納する。一方、額面金額と同額と判定された場合、その紙葉類は流通に適する紙葉類と判断され、還流庫として運用する収納庫１１３〜１１６へ搬送し収納する。
【００２２】
また、Ｓ６１０で入金ボタンが押下されなかった場合は、上位制御部１１８は、取消ボタンが押下されたか否かを判定する（Ｓ６１１）。取消ボタンが押下されたと判定した場合、利用者が入金取引処理を取り消した場合であり、一時保管庫１１２に保管した紙葉類を入出金口部１０３に送り、利用者に返却する（Ｓ６１９）。また、Ｓ６１０、Ｓ６１１で入金ボタン、取消ボタンが押下されなかった場合は、上位制御部１１８は、結果ボタンが押下されたか否かを判定する（Ｓ６１２）。結果ボタンが押下されたと判定した場合、まず上位制御部１１８は識別記憶部１０８に記憶された投入順番５０１と、紙葉類の画像情報５０２と、記番号の画像情報５０３と、記番号認識部によって認識された文字情報５０４と、額面（金種判定処理によって確定された金種情報）５０５と、記番号の可読文字数５０７とを、図示しない内部通信回線を介して取得し、上位記憶部１２０に記憶する。次に、上位記憶部１２０に記憶した文字情報５０４と、予め上位記憶部に記憶された交換基準値とに基づいて、交換金額算出部１１９を制御し、紙葉類価値５０６（可読文字数に応じて適用される相当金額）を算出し上位記憶部１２０に記憶する。そして、５０１〜５０７の各情報を操作部１０２に表示する。このように、取引時の顧客クレーム対応のために記番号の認識結果５００を上位記憶部１２０に記憶しておくことが好ましい。また、記番号の認識結果５００は、紙葉類価値が額面金額に満たないときに記憶するように設定することにより、必要最小限のデータ量で対処可能となる。このため、データ管理の運用上において負担が減り、高速化および低コスト化が実現可能となる。
【００２３】
次に、Ｓ６０５の識別処理について図７を用いて詳細に説明する。まず、識別部１０４の中の紙葉類判定部１０９により、入金された紙葉類の各々について金種を判定する（Ｓ７０１）。その後、金種が確定したか否かを判定する（Ｓ７０２）。金種が確定しなかった、即ち、金種が不明であった場合は、その紙葉類は受取拒否とし、入出金口部１０３に送り（Ｓ７１０）、利用者に返却する。金種が確定した場合は、判定後の金種に基いて、真偽判定処理を実行する（Ｓ７０３）。真偽判定処理の結果、偽券であると判断された場合は、入出金口部へ返却される（Ｓ７１０）。一方で、真券であると判断された場合は、記番号認識部１０７によって、記番号認識処理を行う（Ｓ７０５）。続いて、認識された記番号の画像情報と各桁の認識文字や可読可否等の文字認識結果を識別記憶部１０８に記憶する（Ｓ７０６）。そして、交換金額算出部１１９により、識別記憶部１０８に記憶された認識結果と、予め上位記憶部１２０に記憶された交換基準値に基づいて、可読文字数に応じて適用される相当金額を算出する（Ｓ７０７）。相当金額が０（ゼロ）、すなわち紙葉類としての価値がないと判定した場合（Ｓ７０８）、その紙葉類は受取拒否とし、入出金口部１０３に送り、利用者に返却する。相当金額が額面金額と同額又は額面金額に満たないが０（ゼロ）ではないと判定した場合には（Ｓ７０８）、紙葉類を一時保管庫１１２に搬送して保管し（Ｓ７０９）、Ｓ６０６の処理へ戻る（Ｓ７１１）。
【００２４】
このように、上位制御部が、交換金額算出部により算出された、入金された紙葉類の算出金額が０より大きい場合（紙葉類として価値がある場合）、相当金額に応じた入金取引処理を実行させる構成を採用することにより、可読文字数に応じて適用される相当金額が額面金額に満たない紙葉類でも入金取引処理が可能となり、利用者の利便性が向上する。また、入金された紙葉類のうち流通に適した紙葉類を収納する収納庫と、入金された紙葉類のうち流通に適さない紙葉類を収納するリジェクト庫と、を有し、上位制御部が、算出金額が額面金額である場合、紙葉類を前記収納庫に収納させ、算出金額が０より大きく額面金額未満である場合、紙葉類を前記リジェクト庫に収納させ、算出金額が０である場合、紙葉類を前記入出金口部に返却させる構成を採用することにより、可読文字数に応じて適用される相当金額が額面金額に満たない紙葉類でも入金取引処理が可能となるだけでなく、額面金額未満である損傷紙葉類については流通に適さない紙葉類として、非リサイクル庫に収納して、流通する損傷紙葉類を確実に回収することが可能となる。
【００２５】
次に、紙葉類取引装置の操作部１０２に表示される画面例である図８〜１１を用いて、交換基準の設定、変更にかかる操作、処理、動作手順について説明する。紙葉類取引装置をメンテナンスする保守員又は銀行の責任者等が交換金額算出部１１９で使用する交換基準値の設定又は変更を行う場合、紙葉類取引装置１００の裏側下の切替キー１２５を「通常取引モード」から「保守モード」に切り替えて行う。紙葉類取引装置１００は通信部１２２を具備しているため、外部の端末装置１２４やＬＡＮ等に接続されるサーバ構成では、これら外部からの遠隔操作により保守モードに切り替える、或いは、後述の交換基準値の設定、変更を行うことも可能である。ここでは、一例として、操作部１０２より交換基準値の設定、変更を行う場合の例を示す。「通常取引モード」は、利用者が紙葉類の入出金可能な状態であり、「保守モード」は、交換基準値の設定及び変更やセンサ検査を行う状態である。保守員が切替キー１２５にて「通常取引モード」から「保守モード」に切り替えることで、上位制御部１１８がそれを検知し、操作部１０２に保守用の画面を表示する。なお、図８で示す画面は保守内容選択画面ともいう。また、紙葉類取引装置１００の保守は一般の利用者に操作できないように、画面を表示する前に暗証番号の入力ガイダンスを表示させる構成が良い。さらに、保守には交換基準値設定以外の収納庫、搬送路、カード機構など種々の保守も含むことから、画面を表示する前に保守として対象のユニットを選択させるガイダンスを表示する構成が良い。
【００２６】
ここで、図８は保守内容を選択する画面例であり、保守員が表示画面にて「交換基準値設定（変更も含む）」キーを押下する。上位制御部１１８はそのキー押下を操作部１０２より検知し、どの金種に対して交換基準値の設定を行うかを選択させる金種選択画面（図９）を操作部１０２に表示させる。これは、前述の通り、紙葉類の金種に応じて交換基準値が異なるためである。次に、例えば「５０ドル」キーを押下すると、５０ドル紙葉類の全体画像に、紙葉類２箇所に印刷された記番号を区別するＩＤ（記番号１、記番号２）１００１を付加した、図１０のような画像が操作部１０２に表示される。なお、図１０で示す画面は記番号ＩＤ表示画面という。図１０のＩＤ１００１は、図１１で示す交換基準設定画面にて、何れの記番号に対して条件設定するかを明確に区別するために割り当てられるＩＤである。図１０において、「ＯＫ」キーを押下すると、上位制御部１１８は交換基準設定部１２１を制御し、交換基準設定部は５０ドル紙葉類に適用される交換基準値（交換条件とも言う）を上位記憶部から読み出して、交換基準設定画面を表示する。新規に交換基準を設定する場合には、交換基準設定画面の各入力部を空白状態にして表示する。この交換基準設定画面で、保守員または銀行員は紙葉類価値とその価値を決定するための可読条件を設定する。
【００２７】
図１１を用いて具体的に説明すると、紙葉類の２箇所に印刷された記番号それぞれ別々に条件設定できるように、記番号１の条件入力部１１０１と、記番号２の条件入力部１１０２とを設ける。また、記番号文字列を構成するアルファベット部と数字部それぞれ別々に条件設定できるように、記番号１の１つ目の条件入力部１１０３と、２つ目の条件入力部１１０４と、どの桁に対して条件設定するかの対象桁入力部１１０５（対象桁チェックボックスともいう）と、桁に対して最低限読み取ることが必要な桁数条件入力部１１０６とを設ける。さらに、複数の条件に対する組み合わせ条件入力部１１０７と、その条件下での紙葉類価値入力部１１０８とを設ける。条件を追加または削除できるように、追加ボタン１１０９、削除ボタン１１１０、設定ボタン１１１１を設ける。
【００２８】
次に、実際に交換基準を設定する場合を想定して図１２に基き具体的に説明する。５０ドル紙葉類には、全９桁の記番号が紙葉類の表面左下と表面右上の２箇所に印刷されており、２つとも９文字中５文字以上９桁未満を認識することができた場合には半額２５ドルの価値を持ち、どちらか一方でも可読文字数が５文字未満の場合には価値無しとするような運用基準が適用された場合に、操作部１０２を用いて、可読条件と紙葉類価値を設定する。この例によると、記番号１の条件入力部１２０１の対象桁入力部１２０３において、１桁目から９桁目までのチェックボックスにチェックを入れ、桁数条件入力部１２０４に「５」を入力する。記番号２の条件入力部１２０２でも同様に全桁のチェックボックスにチェックを入れ、桁数条件入力部に「５」を入力する。次に、組み合わせ条件入力部１２０５に論理式「1(1)*2(1)」を入力する。ここでの「*」は論理積、「+」は論理和を意味する。そして、紙葉類価値入力部１２０６に半額の「２５」を入力して、設定ボタン１２０７を押下する。これにより、５０ドル紙葉類の半額条件の設定が終了する。
【００２９】
次に、紙葉類価値が０（ゼロ）、即ち、紙葉類としての価値がない場合の条件設定に移る。まず、図１２の追加ボタン１２０８を押下すると、図１３に示すように、条件入力部１３００が表示される。図１３に示すように、記番号１の条件入力部１３０１の対象桁入力部１３０３において、１桁目から９桁目までのチェックボックスにチェックを入れ、桁数条件入力部１３０４に「４」を入力する。記番号２の条件入力部１３０５でも同様に全桁のチェックボックスにチェックを入れ、桁数条件入力部に「４」を入力する。次に、組み合わせ条件入力部１３０６に論理式「1(1)+2(1)」を入力する。そして、紙葉類価値入力部１３０７に「０」を入力して、設定ボタン１３０８を押下する。これにより、５０ドル紙葉類の紙葉類価値がない条件の設定が終了する。
【００３０】
このように、可読文字数に応じた交換金額を算出するための交換基準値を記憶する記憶部と、交換基準値を設定又は変更する交換基準設定部と、を有し、交換基準設定部は、表示部に表示された、金種を選択する金種選択画面、選択された金種の記番号について桁数条件を入力する条件入力画面及び桁数条件に対応する相当金額を入力する交換金額入力画面により、交換基準値を設定する構成を採用することにより、紙葉類取引装置の操作部からまたは外部の端末装置から交換基準設定部を制御して、可読文字数に応じた相当金額を算出する際に使用される交換基準値を設定、変更することが可能となり、銀行等の運用に柔軟に対応することが可能となる。
【符号の説明】
【００３１】
１００…紙葉類取引装置、１０１…表示部、１０２…操作部、１０３…入出金口、１０４…識別部、１０５…識別制御部、１０６…識別センサ、１０７…記番号識別部、１０８…識別記憶部、１０９…紙葉類判定部、１１０…搬送路、１１１…搬送ローラー、１１２…一時保管庫、１１３〜１１６…収納庫、１１７…リジェクト庫、１１８…上位制御部、１１９…交換金額算出部、１２０…上位記憶部、１２１…交換基準設定部、１２２…通信部、１２３…通信回路、１２４…端末装置、１２５…切替キー
【図１】
2015018463.tif 000003
【図２】
2015018463.tif 000004
【図３】
2015018463.tif 000005
【図４】
2015018463.tif 000006
【図５】
2015018463.tif 000007
【図６】
2015018463.tif 000008
【図７】
2015018463.tif 000009
【図８】
2015018463.tif 000010
【図９】
2015018463.tif 000011
【図１０】
2015018463.tif 000012
【図１１】
2015018463.tif 000013
【図１２】
2015018463.tif 000014
【図１３】
2015018463.tif 000015